(57)【特許請求の範囲】
【請求項１】
前後左右側枠部材(1),(2), (3),(4)を枠状に組み付けた台枠(B)の内側に中空部（23）を設けた複数本の筒状寝台(13)を架設して形成したベッドであって、
前後側枠部材(1),(2)に筒状寝台(13)の中空部（23）の断面形状に合わせた通気用開口（22）を設け、同通気用開口（22）と筒状寝台(13)の中空部（23）とを連通させて同中空部（23）を通気用通路(24)とし、さらに筒状寝台(13)間に隙間を設けていることを特徴とするベッド。
【請求項２】
前後側枠部材(1),(2)を板体とし、左右側枠部材(3),(4)を上下左右側板(5), (6),(7),(8)とからなる四角筒状としており、上下側板(5),(6)の両端にそれぞれ挿入片(9)を設け、前後側枠部材(1),(2)に設けた挿入孔(10)に同挿入片(9)を挿入していることを特徴とする請求項１記載のベッド。
【請求項３】
各筒状寝台(13)は第１〜第４の板体(14),(15),(16),(17)を四角筒状に組み合わせて構成され、
第１及び第３板体(14),(16)はその長手方向と平行な両側に突条の側縁ほぞ部(18),(18)を設けており、第２及び第４板体(15),(17)はその長手方向と平行な両側に第１及び第３板体(14),(16)の側縁ほぞ部(18),(18)と嵌合する側縁ほぞ溝(19),(19)を設けていることを特徴とする請求項１又は請求項２記載のベッド。
【請求項４】
筒状寝台(13)は桐材からなることを特徴とする請求項１〜３のいずれか１項記載のベッド。
【請求項５】
前後側枠部材(1),(2)にそれぞれ各筒状寝台(13)の長手方向の両端部を受けるための複数の筒状寝台受け凹部(21)を設け、各筒状寝台受け凹部(21)に通気用開口（22）を穿設したことを特徴とする請求項１〜４のいずれか１項記載のベッド。
【発明の詳細な説明】
【０００１】
【発明の属する技術分野】
本発明はベッドに関するものであり、特に寝台部の通気性を高めたベッドに関するものである。
【０００２】
【従来の技術】
従来、ベッドは枠状に組み付けた台枠に板体からなる寝台部を配設し、寝台部上にマットレスを載置して使用している。
【０００３】
また、日本人の生活習慣として寝具としては蒲団に馴染んでいるため、マットレスに馴染めない人のために、マットレスの代わりに敷き蒲団を使用するタイプのベッドが存在している。
【０００４】
【発明が解決しようとする課題】
しかし、日本は多湿であるためにマットレス及びマットレスの代わりに使用している蒲団が湿気を帯びやすく、快適な睡眠を阻害することとなっていた。
【０００５】
従って、定期的にマットレス又は蒲団を干して乾燥させ、湿気を除去する必要があったが、その手間が煩わしく、通常は少々の湿気であれば気にせず使用していることがほとんどであった。
【０００６】
そこで、本発明者は、寝台部の通気性を高めることによって、マットレス又は蒲団を寝台部に載置したままでも乾燥させることができるベッドを提供すべく開発を行い、本発明に至ったものである。
【０００７】
【課題を解決するための手段】
本発明のベッドでは、前後左右側枠部材を枠状に組み付けた台枠の内側に中空部を設けた複数本の筒状寝台を架設して形成したベッドであって、前後側枠部材に筒状寝台の中空部の断面形状に合わせた通気用開口を設け、同通気用開口と筒状寝台の中空部とを連通させて同中空部を通気用通路とし、さらに筒状寝台(13)間に隙間を設けた。
【０００８】
さらに、以下の点にも特徴を有する。
（１）前後側枠部材を板体とし、左右側枠部材を上下左右側板とからなる四角筒状としており、上下側板の両端にそれぞれ挿入片を設け、前後側枠部材に設けた挿入孔に同挿入片を挿入していること。
（２）各筒状寝台は第１〜第４の板体を四角筒状に組み合わせて構成され、第１及び第３板体はその長手方向と平行な両側に突条の側縁ほぞ部を設けており、第２及び第４板体はその長手方向と平行な両側に第１及び第３板体の側縁ほぞ部と嵌合する側縁ほぞ溝を設けていること。
（３）筒状寝台は桐材からなること。
（４）前後側枠部材にそれぞれ各筒状寝台の長手方向の両端部を受けるための複数の筒状寝台受け凹部を設け、各筒状寝台受け凹部に通気用開口を穿設したこと。
【０００９】
【発明の実施の形態】
本発明のベッドは、枠状に組み付けた台枠に寝台部を配設して形成したベッドであり、台枠に通気用開口を開設し、寝台部に設けた通気用通路と同通気用開口とを連通させることによって寝台部の通気性を向上させるようにしている。
【００１０】
特に、寝台部を中空の筒状とした筒状寝台を複数本並設して構成しており、同筒状寝台の中空部を通気用開口とを連通させることにより通気性を向上させるとともに、構造的に強固な寝台部を形成することができるようにしている。
【００１１】
筒状寝台を構成する素材は、ステンレスやプラスチックなどの場合であれば、筒状体表面に無数の通気孔を穿設して通気性を高めるようにしてもよいが、桐材を使用して筒状とした筒状寝台を形成することによって、軽量であって、かつ、通気性の良好とすることができる。
【００１２】
以下において実施例を示しながら詳説する。
【００１３】
【実施例】
図１は本発明に係るベッドＡの一部切欠斜視図である。同ベッドＡは、脚部を兼ねた前側枠部材１と、同じく脚部を兼ねた後側枠部材２と、同前後側枠部材1,2間に架設される左右側枠部材3,4とにより形成された枠状の台枠Ｂと、同台枠Ｂの内側に配設される寝台部Ｃとによって構成している。
【００１４】
本実施例では、前側枠部材１及び後側枠部材２は板体としている。また、左右側枠部材3,4は上側板５と、下側板６と、左側板７と、右側板８とからな四角筒状としており、上側板５及び下側板６の両端にそれぞれ挿入片９を設け、前後側枠部材1,2の所用の位置に設けた挿入孔10に同挿入片９を挿入することによって、前後側枠部材1,2及び左右側枠部材3,4を枠状に組み立てることができるようにしている。
【００１５】
挿入片９には係止用楔挿入孔11を穿設しており、同挿入片９を挿入孔10に挿入した後、係止用楔挿入孔11に係止用楔12を挿入することによって、左右側枠部材3,4の端部を前後側枠部材1,2に固定することができるようにしている。
【００１６】
本実施例では、前後側枠部材1,2が脚部を兼ねるようにしているが、これに限定するものではなく、脚部はどのように設けてもよい。
【００１７】
寝台部Ｃは、台枠Ｂの内側に架設した複数本の筒状寝台13により構成している。本実施例では、筒状寝台は第１板体14、第２板体15、第３板体16、第４板体17からなる４枚の板体14,15,16,17を四角筒状に組み合わせて構成している。
【００１８】
四角筒状に組み合わせるために、本実施例では、第１板体14及び第３板体16の長手方向と平行な両側に突条の側縁ほぞ部18,18を設けており、第２板体15及び第４板体17の長手方向と平行な両側には第１、第３板体14,16の側縁ほぞ部18,18と嵌合する側縁ほぞ溝19,19を設けている。
【００１９】
さらに、筒状寝台13の長手方向の両端部には、前後側枠部材1,2間に筒状寝台13を架設するための架設用ほぞ部20を突設している。一方、前後側枠部材1,2にはそれぞれ筒状寝台13の架設用ほぞ部20を受けるための筒状寝台受け凹部21を設け、前後側枠部材1,2間に筒状寝台13を架設することができるようにしている。
【００２０】
さらに、前後側枠部材1,2に設けた筒状寝台受け凹部21の略中央部に通気用開口22を穿設し、同通気用開口22と筒状寝台13の中空部23とを連通させて同中空部23を通気用通路24とするようにしている。通気用開口22に連通させた中空部23からなる通気用通路24を設けることにより、通気性を高めることができる。本実施例では、通気用開口22は筒状寝台13の通気用通路24の断面形状に合わせて略矩形状の開口としているが、略矩形状に限定するものではなく任意の形状としてよい。
【００２１】
また、筒状寝台13となる第１板体14、第２板体15、第３板体16、第４板体17には桐材を用いており、桐材の持つ通気性によって寝台部Ｃの上面に載置したマットレスまたは蒲団の湿気を筒状寝台13の中空部23である通気用通路24に逃がすことができ、マットレスまたは蒲団に湿気が貯まることを抑制することができる。特に、寝台部Ｃ上に載置したままでもマットレスまたは蒲団を乾燥させることができるので、マットレスまたは蒲団の乾燥の手間を省くことができる。
【００２２】
特に、通気用通路24内に炭などの活性炭、あるいは、除湿剤を配設することによって、除湿能力をさらに高めることができる。
【００２３】
さらに、筒状寝台13として桐材を使用していることによって、寝台部Ｃの上面が汚れた場合には、表面をヤスリで削ったり、鉋を掛けたりすることによって長期間にわたって表面を清浄に保つことができる。また、角筒状となっている筒状寝台を適宜回転させることによって清浄な面を表に向けることもできる。
【００２４】
なお、筒状寝台13は密に詰めて配設するのではなく、各筒状寝台13間に若干の隙間を設けながら配設することによって桐材の通気性が阻害されることを防止している。
【００２５】
また、本実施例では、筒状寝台13は四角筒状としているが四角筒状に限定するものではなく、三角筒状であってもよいし、円筒状であってもよい。ただし、四角筒状としていることによって構造的に強固とすることができ、比較的薄い板体で筒状寝台13を構成することができるので、同筒状寝台13の軽量化をはかることができる。従って、本発明に係るベッドの搬送・組立作業を容易に行うことができる。
【００２６】
上述してきた本実施例では、筒状寝台13をベッドＡの長さ方向と平行に配設している、つまり、前後側枠部材1,2間に筒状寝台13を架設しているものについて説明したが、これに限定するものではなく、ベッドＡの長さ方向と直交する方向、すなわち、左右側枠部材3,4間に筒状寝台13を架設するようにしてもよい。その場合、当然ながら、左右側枠部材3,4に筒状寝台13の中空部23と連通する通気用開口を開設するようにしている。
【００２７】
【発明の効果】
本発明によれば、中空の筒状寝台を複数本並設して寝台部を形成するとともに、同筒状寝台の中空部を台枠の通気用開口に連通させていることによって、寝台部の通気性を向上させることができ、同寝台部上に載置したマットレスまたは蒲団の湿気を除去することができる。しかも、ベッドの搬送・組立を容易に行うことができる。
【図面の簡単な説明】
【図１】本発明に係るベッドの一部切欠斜視図である。
【符号の説明】
Ａ  ベッド
Ｂ  台枠
Ｃ  寝台部
１  前側枠部材
２  後側枠部材
３  左側枠部材
４  右側枠部材
５  上側板
６  下側板
７  左側板
８  右側板
９  挿入片
10  挿入孔
11  係止用楔挿入孔
12  係止用楔
13  筒状寝台
14  第１板体
15  第２板体
16  第３板体
17  第４板体
18  側縁ほぞ部
19  側縁ほぞ溝
20  架設用ほぞ部
21  筒状寝台受け凹部
22  通気用開口
23  中空部
24  通気用通路
【図１】
0004344462.tif 000002